(57)【要約】【課題】  美観を損なわず、操作方法を容易に認知することができる水栓を提供する。【解決手段】  表面にガラス面を有する水栓において、水栓操作のための表示部を備える。前記表示部として、ガラス面に凸部が形成されている。【選択図】図１
2019124065.tif 000002
【特許請求の範囲】
【請求項１】
表面にガラス面を有する水栓において、前記ガラス面に前記水栓の操作方法を示す表示部を備え、前記表示部は、前記ガラス面に形成された凸部であることを特徴とする水栓。
【請求項２】
前記ガラス面は、前記水栓の上部に平坦に設けられたことを特徴とする請求項１に記載の水栓。
【請求項３】
前記表示部に向けて光を照射可能な発光体を備えたことを特徴とする請求項１又は２に記載の水栓。
【発明の詳細な説明】
【技術分野】
【０００１】
本発明は、ガラス面を備えた水栓に関する。
【背景技術】
【０００２】
特許文献１には、ガラス面を備えた水栓について記載されている。この水栓は、浴室の壁面に取り付けられる水栓本体上面部に物を載置できるように、フラット状の載置部を水栓本体に一体的に取付けている。そして、載置部の材質として、ガラスを用いることが開示されている。
【０００３】
通常、水栓には、ハンドル等の操作方法を示す表示部が設けられており、印刷にて表示部を設ける方法が一般的に知られている。ガラス面を備える水栓においては、表示部を見やすくするため、そのガラス面に印刷にて表示部が設けられることがある。
【先行技術文献】
【特許文献】
【０００４】
【特許文献１】特開２００２−４３５４号公報
【発明の概要】
【発明が解決しようとする課題】
【０００５】
ガラス面に印刷にて設けられた表示部は、ガラス面が樹脂等の他の材質の表面と比べて平滑であるため、使用による摩擦等にて剥がれやすくなる。また、そもそも印刷という表示方法自体が、摩擦に強くないということがある。そして、表示部が剥がれたり一部摩耗したりすることにより、美観が悪くなり、操作方法も分かりにくくなるという問題があった。本発明は、こうした実情に鑑みてなされたものであり、その目的は、美観を損なわず、操作方法を容易に認知することができる水栓を提供することにある。
【課題を解決するための手段】
【０００６】
上記課題を解決するために、本発明では、表面にガラス面を有する水栓において、前記ガラス面に水栓操作のための表示部を備え、前記表示部は、前記ガラス面に形成された凸部であることを特徴とする。
【０００７】
上記構成において、前記ガラス面は、前記水栓の上部に平坦に設けられることが好ましい。
【０００８】
上記構成において、前記表示部に向けて光を照射可能な発光体を備えることが好ましい。
【発明の効果】
【０００９】
以上のように本発明は、表示部としてガラス面に凸部を形成したことにより、表示部が摩耗したり剥がれたりすることがないため、美観を損なわず、操作方法を容易に認知することができる。
【図面の簡単な説明】
【００１０】
【図１】水栓の斜視図。
【図２】水栓の平面図。
【図３】ガラスプレートにおける、図２のＢ−Ｂ線断面図。
【図４】Ａ方向から見た、水栓の内部を示す模式断面図。
【図５】ガラスプレートの変更例を示す斜視図。
【発明を実施するための形態】
【００１１】
以下、水栓の実施形態を図面に基づいて説明する。
本実施形態は、水，湯及び水と湯との混合水を吐水できるようにした、浴室用の湯水混合水栓（以下、単に水栓という）に具体化したものである。
【００１２】
図１及び図２に示すように、水栓１０の後部の一対の給水口及び給湯口（ともに図示しない）には、給水ジョイント１１及び給湯ジョイント１２がそれぞれ接続され、それらの給水ジョイント１１及び給湯ジョイント１２は、給水源から延びる配管及び給湯源から延びる配管（図示しない）にそれぞれ連結される。水栓１０の後部のシャワー吐出口１３には、シャワーホース１４が接続され、そのシャワーホース１４の先端にはシャワーヘッド（図示しない）が接続されている。水栓１０の下部にはカラン吐出口１５が設けられている。
【００１３】
図１に示すように、水栓１０の右端には、吐水量調節ハンドル２０が設けられ、水栓１０の左端には温度調節ハンドル２１が設けられている。
また、水栓１０の前部右側には、後述のシャワー側押しボタン２２が設けられ、水栓１０の前部中央には、後述のカラン側押しボタン２３が設けられ、水栓１０の前部左側には、後述の点灯スイッチ２４が設けられている。なお、シャワー側押しボタン２２及びカラン側押しボタン２３は、スプリング及びカム（ともに図示しない）の作用によるプッシュオン・プッシュオフタイプであって、１回目のボタン２２,２３に対する押し込みにより、同ボタン２２，２３は後退してその位置で保持され、２回目のボタン２２，２３に対する押し込みにより同ボタン２２，２３は突出位置に復帰する。
【００１４】
そして、シャワー側押しボタン２２及びカラン側押しボタン２３の各ボタンが前方への突出状態にあるときには、シャワーヘッド及びカラン吐出口１５が止水状態にある。シャワー側押しボタン２２が押し込まれたときには、シャワーヘッドからのシャワー吐水が行なわれる。カラン側押しボタン２３が押し込まれたときには、カラン吐出口１５からの吐水が行われる。これらの吐水の場合、前記吐水量調節ハンドル２０を回転操作することにより、吐水量が調節される。また、温度調節ハンドル２１を回転操作することにより、吐水の温度が調節される。押しボタン２２,２３の表面には、それぞれ操作対象を示す、シャワー吐水とカラン吐水を模した図柄が設けられている。  
【００１５】
図１〜図３に示すように、水栓１０の上部には、平坦なガラスプレート３０が設けられている。ガラスプレート３０は、無色透明であり、その下面は光を一部透過する程度に塗装されている。表示部としての凸部は、ガラスプレート３０の上面であるガラス面３１に形成されている。
【００１６】
図２に示すように、ガラス面３１の右端には、吐水量調節ハンドル２０の操作方向を示す、吐水量調節側凸部３２が形成されている。ガラス面３１の左端には、温度調節ハンドル２１の操作方向を示す、温度調節側凸部３３が形成されている。図３に示すように、吐水量調節側凸部３２は、ガラス材そのものが凸形状になるように形成されている。そして、図２で示す図柄がそのまま、ガラス面３１を基準に０．２〜１．０ｍｍ程度突出するような形状となっている。これは、温度調節側凸部３３も同様である。
【００１７】
図２に示すように、吐水量調節側凸部３２は平面視において、５つの一の字状の図形が、一定間隔を空けて前後に並ぶように配置されている。そして、各一の字状の図形は、左右方向長さが異なり、右側は整列させ、前側から後側に向かって順に左側へだけ長くなるように配置されている。これは、吐水量調節ハンドル２０を前側へ回転操作すると、吐水量が少なくなり、吐水量調節ハンドル２０を後側へ回転操作すると、吐水量が多くなることを示すものである。
【００１８】
温度調節側凸部３３は、数字の４０、前方向三角矢印、後方向三角矢印、アルファベットのＣ，Ｈにより構成されており、４０を基準に前側に前方向三角矢印、Ｃの順に配置され、４０を基準に後側に後方向三角矢印、Ｈの順に配置されている。これは、温度調節ハンドル２１を、適温位置としての４０（℃）位置からＣ側（前側）へ回転操作すると、吐水温度が下がり、温度調節ハンドル２１を、４０（℃）位置からＨ側（後側）へ回転操作すると、吐水温度が上がることを示すものである。
【００１９】
図４に示すように、水栓１０の内部には、発光体としてのＬＥＤランプ４０を備えた回路４１が内蔵されており、ＬＥＤランプ４０は、点灯時にガラスプレート３０の裏側から、凸部３２，３３を照射する位置にそれぞれ一つずつ設けられている。（凸部３３側は図示しない。）なお、ＬＥＤランプ４０は、ＬＥＤ（発光ダイオード）の他に、回路４１に図示されない、ＬＥＤの発光に必要な抵抗等を備えたものを示す。
【００２０】
回路４１は、導線４２によってＬＥＤランプ４０、電池４３、点灯スイッチ２４が直列に接続されている。点灯スイッチ２４はプッシュオン・プッシュオフタイプであって、１回目の点灯スイッチ２４の押し込みにより、ＬＥＤランプ４０が点灯し、２回目の点灯スイッチ２４の押し込みにより、ＬＥＤランプ４０が消灯する。
【００２１】
本実施形態においては、以下の効果がある。
（１）ハンドル２０，２１の操作方向を示す表示部としての凸部３２，３３は、ガラス材にて形成されているため、長期の使用によっても、摩耗したり剥がれて消えてしまうことがない。そのため、美観を損なわず、操作方法を容易に認知することができる。
【００２２】
（２）表示部が凸部３２，３３によって形成されているため、洗髪等で目を閉じた状態でも、手で触ることにより、表示内容を認知することができる。
【００２３】
（３）水栓１０の上部に、平坦なガラス面３１が設けられているため、清掃性が良い。また、ガラス面３１は清掃等の摩擦に対して強いため、美観を長期的に保つことができる。
【００２４】
（４）ＬＥＤランプ４０が点灯すると、ガラス面３１の凸部３２，３３は、下から照射されて光を乱反射させる。そのため、通常の室内照明だけに照らされる場合より、輝きが増し、さらに美観を向上させる。
【００２５】
本実施形態は、以下のように変更して実施することができる。本実施形態及び以下の変更例は、技術的に矛盾しない範囲で互いに組み合わせて実施することができる。
・ガラスプレート３０は、有色の半透明や、鏡状であってもよい。
【００２６】
・凸部３２，３３が示す表示内容は、ハンドルの操作方向に限定されず、水栓の操作方法を示唆するものであればよい。例えば、押しボタン２２，２３に設けられた図柄のように、操作対象を示すものであってもよい。
・凸部３２，３３は、凸形状だけでなく、凹形状であってもよい。凸形状と凹形状の組合せであってもよい。また、凸形状は微小なものでもよく、微小な凸形状が集合した粗面であってもよい。粗面は、例えば、ガラス面にサンドブラストによって設けたものであってもよい。
【００２７】
・凸部３２，３３を設けるガラス面３１は、ガラスプレート３０の上面だけに限定されず、例えば図５に示すように側面であってもよいし、下面等であってもよい。さらに、ガラス面３１は、別途ガラス部材を設け、水栓１０の前面に設けてもよいし、押しボタン２２，２３やハンドル２０，２１等に設けてもよい。
【００２８】
・発光体の電源は、発光体を発光させる電力を供給できるものであればよく、電池４３の他、外部電源、水流による水栓の自己発電装置でもよい。
・発光体は、光を発するものであればよく、ＬＥＤランプ４０の他、白熱電球でもよいし、蛍光塗料等の電源を用いないものであってもよい。
・発光体は、様々な色で発光させることができる。
【００２９】
・発光体は、単に点灯させるだけでなく、点滅させてもよいし、ハンドル等の動きと連動して発光させてもよい。
・発光体を配置する位置は、水栓１０の内部に限定されず、例えばアーム等によりガラス面３１の上側に設けてもよい。
【符号の説明】
【００３０】
１０…水栓、２０…吐水量調節ハンドル、２１…温度調節ハンドル、２４…点灯スイッチ、３０…ガラスプレート、３１…ガラス面、３２…吐水量調節側凸部（表示部）、３３…温度調節側凸部（表示部）、４０…ＬＥＤランプ、４１…回路。
【図１】
2019124065.tif 000003
【図２】
2019124065.tif 000004
【図３】
2019124065.tif 000005
【図４】
2019124065.tif 000006
【図５】
2019124065.tif 000007